(57)【要約】【課題】デジタル著作物を利用者間のピアトゥピア通信を用いて配信するデジタル著作物配信システムで使用されるデジタル著作物配信装置で、デジタル著作物の取得者が、取得したデジタル著作物に対して、利用契約だけでなく他の契約も結ぶことを可能とすること。【解決手段】コンテンツ配信装置２００１が利用者にＰＳＰ１００内の契約文書を提示してユーザロールを選択させ、利用者がユーザロールを選択して契約に合意すると、合意事項と属性割り当て規則を属性認証装置２０に送付して属性証明書の発行を依頼し、属性認証装置２０が発行した属性証明書に基づいて利用者のＰＳＰ１００に対する操作を制御する構成とする。【選択図】      図２
2004341873.tif 000002
【特許請求の範囲】
【請求項１】
デジタル著作物を利用者間のピアトゥピア通信を用いて配信するデジタル著作物配信システムで使用されるデジタル著作物配信装置であって、
前記デジタル著作物と該デジタル著作物の契約情報とを含むパッケージを提供するデジタル著作物提供装置または他のデジタル著作物配信装置からピアトゥピア通信を用いて該パッケージを取得するパッケージ取得手段と、
前記パッケージ取得手段により取得されたパッケージに含まれる契約情報に基づいてデジタル著作物配信における複数の役割についての契約内容を表示して利用者に役割を選択させる役割選択手段と、
前記役割選択手段により利用者に選択された役割に基づいて前記パッケージに対する利用者のアクセスを制御するパッケージアクセス制御手段と、
を備えたことを特徴とするデジタル著作物配信装置。
【請求項２】
前記役割選択手段は、利用者に関する情報を記憶した利用者属性認証装置に対して利用者が選択した役割を伝えるとともに利用者の属性の問い合せをおこない、前記パッケージアクセス制御手段は、前記問い合せに対して利用者属性認証装置が作成した利用者の属性に基づいて前記パッケージに対する利用者のアクセスを制御することを特徴とする請求項１に記載のデジタル著作物配信装置。
【請求項３】
前記契約情報は、利用者に関する情報から利用者の属性を割り当てる属性割り当て規則を含み、前記役割選択手段は、利用者属性認証装置に対して属性割り当て規則を伝え、前記パッケージアクセス制御手段は、利用者属性認証装置が属性割り当て規則を用いて作成した利用者の属性に基づいて前記パッケージに対する利用者のアクセスを制御することを特徴とする請求項２に記載のデジタル著作物配信装置。
【請求項４】
前記契約情報は、前記利用者の属性から利用者の役割を割り当てる権限割り当て規則を含み、前記パッケージアクセス制御手段は、前記利用者の属性および権限割り当て規則を用いて前記パッケージに対する利用者の役割を判定してアクセスを制御することを特徴とする請求項３に記載のデジタル著作物配信装置。
【請求項５】
前記利用者の役割の一つとして販売促進があり、前記パッケージアクセス制御手段は、前記パッケージに対する利用者の役割が販売促進であると判定した場合に、該パッケージの複製を許可することを特徴とする請求項４に記載のデジタル著作物配信装置。
【請求項６】
デジタル著作物を利用者間のピアトゥピア通信を用いて配信するデジタル著作物配信システムで使用されるデジタル著作物配信プログラムであって、
前記デジタル著作物と該デジタル著作物の契約情報とを含むパッケージを提供するデジタル著作物提供装置またはデジタル著作物配信装置からピアトゥピア通信を用いて該パッケージを取得するパッケージ取得手順と、
前記パッケージ取得手順により取得されたパッケージに含まれる契約情報に基づいてデジタル著作物配信における複数の役割についての契約内容を表示して利用者に役割を選択させる役割選択手順と、
前記役割選択手順により利用者に選択された役割に基づいて前記パッケージに対する利用者のアクセスを制御するパッケージアクセス制御手順と、
をコンピュータに実行させることを特徴とするデジタル著作物配信プログラム。
【請求項７】
前記役割選択手順は、利用者に関する情報を記憶した利用者属性認証装置に対して利用者が選択した役割を伝えるとともに利用者の属性の問い合せをおこない、前記パッケージアクセス制御手順は、前記問い合せに対して利用者属性認証装置が作成した利用者の属性に基づいて前記パッケージに対する利用者のアクセスを制御することを特徴とする請求項６に記載のデジタル著作物配信プログラム。
【請求項８】
デジタル著作物を利用者間のピアトゥピア通信を用いて配信するデジタル著作物配信システムで使用されるデジタル著作物配信方法であって、
前記デジタル著作物と該デジタル著作物の契約情報とを含むパッケージを提供するデジタル著作物提供装置またはデジタル著作物配信装置からピアトゥピア通信を用いて該パッケージを取得するパッケージ取得工程と、
前記パッケージ取得工程により取得されたパッケージに含まれる契約情報に基づいてデジタル著作物配信における複数の役割についての契約内容を表示して利用者に役割を選択させる役割選択工程と、
前記役割選択工程により利用者に選択された役割に基づいて前記パッケージに対する利用者のアクセスを制御するパッケージアクセス制御工程と、
を含んだことを特徴とするデジタル著作物配信方法。
【請求項９】
デジタル著作物を利用者間のピアトゥピア通信を用いて配信するデジタル著作物配信システムであって、
前記デジタル著作物と該デジタル著作物に対するアクセス制御に使用する利用者属性を利用者に割り当てる属性割り当て情報とを含むパッケージを提供するデジタル著作物提供装置と、
前記利用者に関する情報を記憶し、該記憶した利用者に関する情報および前記属性割り当て情報に基づいて利用者属性を作成する利用者属性作成装置と、
前記デジタル著作物提供装置により提供されたパッケージをピアトゥピア通信を用いて取得し、該取得したパッケージに含まれる属性割り当て情報を前記利用者属性作成装置に送信して利用者属性の作成を依頼し、該利用者属性作成装置が作成した利用者属性に基づいて前記デジタル著作物に対するアクセスを制御するデジタル著作物配信装置と、
を備えたことを特徴とするデジタル著作物配信システム。
【請求項１０】
デジタル著作物を利用者間のピアトゥピア通信を用いて配信するデジタル著作物配信システムで用いられるデジタル著作物配信方法あって、
前記デジタル著作物と該デジタル著作物に対するアクセス制御に使用する利用者属性を利用者に割り当てる属性割り当て情報とを含むパッケージを作成するデジタル著作物作成工程と、
前記利用者に関する情報および前記パッケージから取り出された属性割り当て情報に基づいて利用者属性を作成する利用者属性作成工程と、
前記利用者属性作成工程により作成された利用者属性に基づいて前記パッケージに含まれるデジタル著作物に対するアクセスを制御するアクセス制御工程と、
を含んだことを特徴とするデジタル著作物配信方法。
【発明の詳細な説明】
【０００１】
【発明の属する技術分野】
この発明は、デジタル著作物を利用者間のピアトゥピア通信を用いて配信するデジタル著作物配信システム、デジタル著作物配信装置、デジタル著作物配信プログラムおよびデジタル著作物配信方法に関し、特に、デジタル著作物の取得者が、取得したデジタル著作物に対して、利用契約だけでなく他の契約も結ぶことができるデジタル著作物配信システム、デジタル著作物配信装置、デジタル著作物配信プログラムおよびデジタル著作物配信方法に関する。
【０００２】
【従来の技術】
近年，インターネットへの常時接続の普及とともに，利用者から利用者へデータの複製の連鎖をおこなうことによってサービスをおこなうピアトゥピア（Ｐｅｅｒ  ｔｏ  Ｐｅｅｒ：Ｐ２Ｐ）型のデジタル著作物配信サービスが普及しはじめている。
【０００３】
このＰ２Ｐ型のデジタル著作物配信サービスでは、著作権者とデジタル著作物の最終利用者以外に、デジタル著作物を仲介する販売促進者などを経由してデジタル著作物を配信する。このような、Ｐ２Ｐ型のコンテンツ配信システムに関する従来技術については、たとえば、特願２００２−１２１８４０に開示されている。
【０００４】
【発明が解決しようとする課題】
しかしながら、このＰ２Ｐ型のデジタル著作物配信サービスでは、従来の電子契約のような著作権者と最終利用者の間のみの固定的な契約方式は適用できないという問題がある。
【０００５】
すなわち、Ｐ２Ｐ型のデジタル著作物配信サービスでは、著作権者と最終利用者以外に販売促進者などが存在するため、著作権者と最終利用者との間の契約以外に、販売促進者などの役割に応じた各種の契約が必要となる。
【０００６】
一方、デジタル著作物に関するインターネットを利用した電子契約では，クリックラップ契約に代表されるように，利用者のマウスクリックなどの操作によって、著作権者が一方的に提示する契約書に合意したものとみなすという方式がとられている。
【０００７】
したがって，従来の電子契約は，固定的な利用条件の契約にしか適用することができず、利用条件を選択したり変更したりする契約には適用することができないという問題がある。また，このような契約は，著作権者と最終利用者の２者間に固定されたものであり，著作権者と最終利用者の契約以外には適用することができないという問題がある。
【０００８】
この発明は、上述した従来技術による問題点を解消するためになされたものであり、デジタル著作物の取得者が、取得したデジタル著作物に対して、利用契約だけでなく他の契約も結ぶことができるデジタル著作物配信システム、デジタル著作物配信装置、デジタル著作物配信プログラムおよびデジタル著作物配信方法を提供することを目的とする。
【０００９】
【課題を解決するための手段】
上述した課題を解決し、目的を達成するため、本発明は、デジタル著作物を利用者間のピアトゥピア通信を用いて配信するデジタル著作物配信システムで使用されるデジタル著作物配信装置であって、前記デジタル著作物と該デジタル著作物の契約情報とを含むパッケージを提供するデジタル著作物提供装置または他のデジタル著作物配信装置からピアトゥピア通信を用いて該パッケージを取得するパッケージ取得手段と、前記パッケージ取得手段により取得されたパッケージに含まれる契約情報に基づいてデジタル著作物配信における複数の役割についての契約内容を表示して利用者に役割を選択させる役割選択手段と、前記役割選択手段により利用者に選択された役割に基づいて前記パッケージに対する利用者のアクセスを制御するパッケージアクセス制御手段と、を備えたことを特徴とする。
【００１０】
また、本発明は、デジタル著作物を利用者間のピアトゥピア通信を用いて配信するデジタル著作物配信システムで使用されるデジタル著作物配信プログラムであって、前記デジタル著作物と該デジタル著作物の契約情報とを含むパッケージを提供するデジタル著作物提供装置またはデジタル著作物配信装置からピアトゥピア通信を用いて該パッケージを取得するパッケージ取得手順と、前記パッケージ取得手順により取得されたパッケージに含まれる契約情報に基づいてデジタル著作物配信における複数の役割についての契約内容を表示して利用者に役割を選択させる役割選択手順と、前記役割選択手順により利用者に選択された役割に基づいて前記パッケージに対する利用者のアクセスを制御するパッケージアクセス制御手順と、をコンピュータに実行させることを特徴とする。
【００１１】
また、本発明は、デジタル著作物を利用者間のピアトゥピア通信を用いて配信するデジタル著作物配信システムで使用されるデジタル著作物配信方法であって、前記デジタル著作物と該デジタル著作物の契約情報とを含むパッケージを提供するデジタル著作物提供装置またはデジタル著作物配信装置からピアトゥピア通信を用いて該パッケージを取得するパッケージ取得工程と、前記パッケージ取得工程により取得されたパッケージに含まれる契約情報に基づいてデジタル著作物配信における複数の役割についての契約内容を表示して利用者に役割を選択させる役割選択工程と、前記役割選択工程により利用者に選択された役割に基づいて前記パッケージに対する利用者のアクセスを制御するパッケージアクセス制御工程と、を含んだことを特徴とする。
【００１２】
かかる発明によれば、デジタル著作物とデジタル著作物の契約情報とを含むパッケージを提供するデジタル著作物提供装置またはデジタル著作物配信装置からピアトゥピア通信を用いてパッケージを取得し、取得したパッケージに含まれる契約情報に基づいてデジタル著作物配信における複数の役割についての契約内容を表示して利用者に役割を選択させ、選択された役割に基づいてパッケージに対する利用者のアクセスを制御することとしたので、デジタル著作物の取得者が、取得したデジタル著作物に対して、利用契約だけでなく他の契約も結ぶことができる。
【００１３】
また、本発明は、デジタル著作物を利用者間のピアトゥピア通信を用いて配信するデジタル著作物配信システムであって、前記デジタル著作物と該デジタル著作物に対するアクセス制御に使用する利用者属性を利用者に割り当てる属性割り当て情報とを含むパッケージを提供するデジタル著作物提供装置と、前記利用者に関する情報を記憶し、該記憶した利用者に関する情報および前記属性割り当て情報に基づいて利用者属性を作成する利用者属性作成装置と、前記デジタル著作物提供装置により提供されたパッケージをピアトゥピア通信を用いて取得し、該取得したパッケージに含まれる属性割り当て情報を前記利用者属性作成装置に送信して利用者属性の作成を依頼し、該利用者属性作成装置が作成した利用者属性に基づいて前記デジタル著作物に対するアクセスを制御するデジタル著作物配信装置と、を備えたことを特徴とする。
【００１４】
また、本発明は、デジタル著作物を利用者間のピアトゥピア通信を用いて配信するデジタル著作物配信システムで用いられるデジタル著作物配信方法あって、前記デジタル著作物と該デジタル著作物に対するアクセス制御に使用する利用者属性を利用者に割り当てる属性割り当て情報とを含むパッケージを作成するデジタル著作物作成工程と、前記利用者に関する情報および前記パッケージから取り出された属性割り当て情報に基づいて利用者属性を作成する利用者属性作成工程と、前記利用者属性作成工程により作成された利用者属性に基づいて前記パッケージに含まれるデジタル著作物に対するアクセスを制御するアクセス制御工程と、を含んだことを特徴とする。
【００１５】
かかる発明によれば、デジタル著作物とデジタル著作物に対するアクセス制御に使用する利用者属性を利用者に割り当てる属性割り当て情報とを含むパッケージを作成し、利用者に関する情報およびパッケージから取り出された属性割り当て情報に基づいて利用者属性を作成し、作成した利用者属性に基づいてパッケージに含まれるデジタル著作物に対するアクセスを制御することとしたので、デジタル著作物の取得者が、取得したデジタル著作物に対して、利用契約だけでなく他の契約も結ぶことができる。
【００１６】
【発明の実施の形態】
以下、添付図面を参照して、この発明に係るデジタル著作物配信システム、デジタル著作物配信装置、デジタル著作物配信プログラムおよびデジタル著作物配信方法の好適な実施の形態を詳細に説明する。なお、本実施の形態では、デジタル著作物として音楽コンテンツを配信する場合について説明する。
【００１７】
まず、本実施の形態に係るコンテンツ配信の概念について説明する。図１は、本実施の形態に係るコンテンツ配信の概念を説明するための説明図である。同図（ａ）に示すように、本実施の形態に係るＰ２Ｐ型コンテンツ配信では、コンテンツの著作権者は、ポリシ証明書１１０と暗号化コンテンツ１２０と、コンテンツ処理プログラム１３０とを有するＰＳＰ（Ｐｏｌｉｃｙ  Ｓｅｒｖｉｃｅ  Ｐａｃｋａｇｅ）１００を作成し、このＰＳＰ１００が利用者間で配信する。
【００１８】
ここで、ポリシ証明書１１０は、人間可読な契約文書と契約文書に対応するアクセス制御ポリシとから構成され、同図（ｂ）にその一例を示す。同図（ｂ）に示すように、ポリシ証明書１１０は、権限割り当て規則と属性割り当て規則とを有し、権限割り当て規則は、利用者が有する属性に対してユーザロールすなわち利用者の役割を割り当てる規則であり，属性割り当て規則は、利用者が属性を得るための必要な行為についての規則である。
【００１９】
たとえば、音楽配信においては、音楽を一部視聴することができる「お試しユーザ」、音楽を全て聴くことができる「正規ユーザ」、音楽の販売を促進する「販売促進者」などのユーザロールがあり、利用者が音楽に対する対価を支払ったか否かに対応する「支払いなし」属性および「対価支払い済み」属性、利用者が音楽を販売してその報酬を受領した場合の「販売報酬受領者」属性、利用者が音楽の販売促進に合意した場合の「販促承認」属性などがある。
【００２０】
また、権限割り当て規則としては、「利用者の属性が支払いなしならば、お試しユーザロールを割り当てる」、「利用者の属性が対価支払い済みならば、正規ユーザロールを割り当てる」、「利用者の属性が販促承認ならば、販売促進者のユーザロールを割り当てる」などがあり、属性割り当て規則としては、「Ａ銀行普通預金口座１２３４５に１０００円振込みをした利用者ならば対価支払い済み属性を与える」、「利用者が販売促進に合意すると販促承認の属性を与える」などがある。
【００２１】
したがって、ＰＳＰ１００を取得した利用者は、Ａ銀行普通預金口座１２３４５に１０００円振込むことによって「対価支払い済み」属性を取得し、「対価支払い済み」属性を取得することによって「正規ユーザ」となり、ＰＳＰ１００内の音楽を全て聴くことができる。
【００２２】
このように、本実施の形態に係るコンテンツ配信では、ＰＳＰ１００の利用に必要な属性を利用者が有するか否かに基づいて暗号化コンテンツ１２０へのアクセス制御をおこなう。そして、利用者が属性を有するか否かの判断は、属性認証機関が発行する属性証明書に基づいておこなう。
【００２３】
ここで、属性証明書の取得は以下の手順でおこなう。ＰＳＰ１００を取得した利用者は、ポリシ証明書１１０に記載された契約文書にしたがって、自分のユーザロールを選択する。
【００２４】
すると、利用者がユーザロールを選択して契約文書に合意したことがポリシ許諾証明書としてＰＳＰ１００の複製元に送られる。ここで、ポリシ許諾証明書は、たとえば、「私ことＸは、ポリシ証明書の内容のポリシを許諾いたしました」といった内容である。また、この複製元は、ＰＳＰ１００を複製して他の利用者に配布しており、販売促進者のユーザロールを有している。
【００２５】
そして、ポリシ許諾証明書がＰＳＰ１００の複製元に送られた後、選択したユーザロールとポリシ証明書１１０の属性割り当て規則とが属性認証機関に送られる。すると、属性認証機関は、保有する利用者の情報と属性割り当て規則を用いて属性証明書を作成し、利用者に送る。
【００２６】
なお、著作権者は、ポリシ証明書１１０を作成する場合に、属性割り当て規則を事前に属性認証機関に送付してその審査を受けておく。そして、属性認証機関は、事前に審査した属性割り当て規則に対してのみ属性証明書を発行する。
【００２７】
このように、本実施の形態では、利用者がポリシ証明書１１０に記載された契約文書にしたがって自分のユーザロールを選択し、契約文書に合意すると、属性割り当て規則が属性認証機関に送られて属性証明書が発行され、利用者は暗号化コンテンツ１２０の操作に必要な属性を取得することができる。
【００２８】
したがって、利用者は、ポリシ証明書１１０に記載されたユーザロールを自由に選択することができ、選択したユーザロールに応じてコンテンツへのアクセス権を得ることができる。
【００２９】
次に、本実施の形態に係るコンテンツ配信システムのシステム構成について説明する。図２は、本実施の形態に係るコンテンツ配信システムのシステム構成を示す機能ブロック図である。
【００３０】
同図に示すように、このコンテンツ配信システムは、コンテンツ提供装置１０と、属性認証装置２０と、ｎ台のコンテンツ配信装置２００１〜２００ｎとがインターネット３０に接続されて構成される。
【００３１】
コンテンツ提供装置１０は、配信されるコンテンツを提供する装置であり、属性割り当て規則作成部１１と、ＰＳＰ作成部１２と、電子署名部１３と、通信部１４とを有する。
【００３２】
属性割り当て規則作成部１１は、コンテンツを操作するために必要な属性を利用者が取得するための規則である属性割り当て規則を作成する処理部である。この属性割り当て規則作成部１１によって作成された属性割り当て規則は、属性認証装置２０によって審査された後、ＰＳＰ作成部１２によってＰＳＰ１００の作成に用いられる。
【００３３】
ＰＳＰ作成部１２は、ＰＳＰ１００を作成する処理部であり、配信したいコンテンツを暗号化した暗号化コンテンツ１２０と、暗号化コンテンツ１２０を処理するコンテンツ処理プログラム１３０と、ポリシ証明書１１０とを用いてＰＳＰ１００を作成する。
【００３４】
このＰＳＰ作成部１２が、暗号化コンテンツ１２０にポリシ証明書１１０を付加して提供することによって、Ｐ２Ｐ通信で配信される暗号化コンテンツ１２０へのアクセスを制御することができる。
【００３５】
電子署名部１３は、権限割り当て規則およびポリシ証明書に著作権者の署名を付加する処理部であり、権限割り当て規則およびポリシ証明書が著作権者によって作成されたことを保証するためにＰＳＰ作成部１２によって用いられる。
【００３６】
通信部１４は、属性認証装置２０との間で属性割り当て規則を通信し、コンテンツ配信装置２００１〜２００ｎとの間でＰＳＰ１００やポリシ許諾証明書を通信する処理部である。
【００３７】
属性認証装置２０は、利用者の属性の認証をおこなう装置であり、属性割り当て規則審査部２１と、属性割り当て規則解釈部２２と、電子署名部２３と、利用者情報記憶部２４と、通信部２５とを有する。
【００３８】
属性割り当て規則審査部２１は、コンテンツ提供装置１０が作成した属性割り当て規則を審査する処理部であり、承認した属性割り当て規則に電子署名を付加してコンテンツ提供装置１０に送り返す。
【００３９】
属性割り当て規則解釈部２２は、コンテンツ配信装置２００１〜２００ｎから送られた属性割り当て規則を解釈して属性証明書を発行する処理部である。この属性割り当て規則解釈部２２が属性割り当て規則を解釈して発行する属性証明書に基づいて、コンテンツ配信装置２００１〜２００ｎは、ＰＳＰ１００内に含まれる暗号化コンテンツ１２０を操作することができる。
【００４０】
電子署名部２３は、承認した属性割り当て規則に属性認証機関の署名を付加する処理部であり、属性割り当て規則が属性認証機関によって承認されたことを保証するために署名を付加する。
【００４１】
利用者情報記憶部２４は、利用者に関する情報を記憶した記憶部であり、この利用者情報記憶部２４に記憶された情報を用いて属性割り当て規則解釈部２２が属性割り当て規則を適用し、属性証明書を発行する。
【００４２】
通信部２５は、コンテンツ提供装置１０との間で属性割り当て規則を通信し、コンテンツ配信装置２００１〜２００ｎとの間で属性割り当て規則や属性証明書を通信する処理部である。
【００４３】
コンテンツ配信装置２００１〜２００ｎは、コンテンツの配信に利用者が使用する装置である。なお、これらのコンテンツ配信装置２００１〜２００ｎはいずれも同様の構成を有するので、ここではコンテンツ配信装置２００１を例にとって説明する。
【００４４】
コンテンツ配信装置２００１は、ＰＳＰ取得部２１０と、ＰＳＰ記憶部２２０と、ポリシ許諾部２３０と、複製可能設定部２４０と、耐タンパ装置２５０と、デジタル証明書記憶部２６０と通信部２７０とを有する。
【００４５】
ＰＳＰ取得部２１０は、コンテンツ提供装置１０や他のコンテンツ配信装置からＰＳＰ１００を取得する処理部であり、ＰＳＰ記憶部２２０は、ＰＳＰ取得部２１０が取得したＰＳＰ１００を記憶する記憶部である。
【００４６】
ポリシ許諾部２３０は、ＰＳＰ記憶部２２０に記憶されたＰＳＰ１００内の人間可読な契約文書を利用者に提示し、利用者にユーザロールを選択させる処理部である。
【００４７】
このポリシ許諾部２３０は、利用者が契約文書に合意してユーザロールを選択すると、ポリシ許諾証明書をＰＳＰ１００の複製元に送り、利用者の合意事項とＰＳＰ１００内の属性割り当て規則を属性認証装置２０に送って属性証明書の発行を依頼する。利用者の合意事項としては、たとえば、暗号化コンテンツ１２０の再生に関する合意や販売促進に関する合意などがある。
【００４８】
このポリシ許諾部２３０が、利用者に契約文書を提示してユーザロールを選択させることによって、利用者は、ＰＳＰ１００の流通過程における様々な役割を選択して契約することができる。
【００４９】
また、このポリシ許諾部２３０が、利用者の合意事項と属性割り当て規則を属性認証装置２０に送って属性証明書の発行を依頼することにより、利用者の属性に基づく暗号化コンテンツ１２０のアクセス制御をおこなうことができる。
【００５０】
複製可能設定部２４０は、ＰＳＰ記憶部２２０に記憶されたＰＳＰ１００の複製を可能とする設定をおこなう処理部である。この複製可能設定部２４０は、利用者がユーザロールとして販売促進者を選択し、「販促承認」の属性を取得すると動作する。
【００５１】
耐タンパ装置２５０は、利用者がその内容を改変することが不可能な装置であり、コンテンツ配信装置２００１に着脱が可能である。この耐タンパ装置２５０は、たとえば、ＩＣカードなどで実現することができる。この耐タンパ装置２５０は、属性取得部２５１と、属性証明書記憶部２５２と、トラストエンジン２５３と、プログラムローダ２５４と、プログラム処理部２５５とを有する。
【００５２】
属性取得部２５１は、属性認証装置２０が発行した属性証明書を取得する処理部であり、属性証明書記憶部２５２は、属性取得部２５１が取得した属性証明書を記憶する記憶部である。
【００５３】
トラストエンジン２５３は、属性証明書、デジタル証明書およびＰＳＰ１００内のポリシ証明書１１０を用いてプログラムローダ２５４や複製可能設定部２４０を制御する処理部であり、プログラムローダ２５４の制御を通じて暗号化コンテンツ１２０の再生を制御し、複製可能設定部２４０の制御を通じてＰＳＰ１００の複製を制御する。
【００５４】
プログラムローダ２５４は、ＰＳＰ１００内のコンテンツ処理プログラム１３０をロードする処理部である。また、プログラム処理部２５５は、プログラムローダ２５４によってロードされたコンテンツ処理プログラム１３０を処理する処理部であり、コンテンツ処理プログラム１３０を処理することによって暗号化コンテンツ１２０を再生することができる。このプログラム処理部２５５は、たとえば、Ｊａｖａ（Ｒ）のＶＭ（Ｖｉｒｔｕａｌ  Ｍａｃｈｉｎｅ）として実現することができる。
【００５５】
デジタル証明書記憶部２６０は、利用者のデジタル証明書を記憶した記憶部であり、通信部２７０は、コンテンツ提供装置１０や他のコンテンツ配信装置との間でＰＳＰ１００やポリシ許諾証明書を通信し、属性認証装置２０との間で属性割り当て規則や属性証明書を通信する処理部である。
【００５６】
次に、ポリシ証明書１１０について説明する。図３は、ポリシ証明書１１０の一例を示す図である。同図に示すように、ポリシ証明書１１０は、暗号化コンテンツ１２０に対して人間可読な利用条件を記述した条文とそれに対応する機械可読な規則を記述したアクセス制御ポリシとを有する。
【００５７】
アクセス制御ポリシは、権限割り当て規則と、属性割り当て規則とを有し、権限割り当て規則には、作成者である著作権者の電子署名が付加され、属性割り当て規則には、承認者である属性認証機関の電子署名が付加される。
【００５８】
なお、ポリシ証明書１１０には、作成者である著作権者の電子署名が付加される。また、ポリシ許諾証明書は、ポリシ証明書１１０にその内容を許諾した旨の記載を追加し、利用者の電子署名を付加して作成される。
【００５９】
権限割り当て規則は、属性→ユーザロールの形式を有する規則であり、利用者が所定の属性を有する場合に対応するユーザロールを利用者に割り当てる。たとえば、「属性１」→「ユーザロール１」は、利用者が「属性１」を有する場合に、「ユーザロール１」を利用者に割り当てる。
【００６０】
ここで、図１に示したように、属性としては、「支払いなし」、「対価支払い済み」、「販売報酬受領者」、「販促承認」などがあり、ユーザロールとしては、「お試しユーザ」、「正規ユーザ」、「販売促進者」などがある。
【００６１】
属性割り当て規則は、行為→属性の形式を有する規則であり、利用者が所定の行為をおこなうと対応する属性を利用者に割り当てる。たとえば、「行為１」→「属性１」は、利用者が「行為１」をおこなった場合に、「属性１」を利用者に割り当てる。
【００６２】
ここで、図１に示したように、行為としては、「Ａ銀行普通預金口座１２３４５に１０００円振り込む」、「他者へ複製したときのポリシ許諾証明書を属性認証機関に提示する」などがある。
【００６３】
属性認証装置２０は、利用者のおこなった行為に関する情報を利用者情報記憶部２４に記憶し、属性割り当て規則と利用者情報記憶部２４に記憶した情報を用いて属性証明書を作成する。
【００６４】
このように、権限割り当て規則および属性割り当て規則を用いて様々なユーザロールや属性を定義することによって、利用者は、ＰＳＰ１００に記載された様々な役割から自分の果たす役割を選択することができ、選択した役割に応じて暗号化コンテンツ１２０に対するアクセス権を得ることができる。
【００６５】
次に、本実施の形態に係るコンテンツ再生処理の処理手順について説明する。図４は、本実施の形態に係るコンテンツ再生処理の処理手順を示すフローチャートである。
【００６６】
同図に示すように、このコンテンツ再生処理は、コンテンツ配信装置２００１のＰＳＰ取得部２１０がコンテンツ提供装置１０または他のコンテンツ配信装置からＰＳＰ１００を取得する（ステップＳ４０１）。
【００６７】
そして、ポリシ許諾部２３０がＰＳＰ１００内の人間可読な契約文書を利用者に提示し（ステップＳ４０２）、ユーザロールを選択させる（ステップＳ４０３）。ここで、利用者が「正規ユーザ」を選択すると、ポリシ許諾部２３０は、ポリシ許諾証明書をＰＳＰ１００の複製元に送付し（ステップＳ４０４）、「正規ユーザ」の合意と属性割り当て規則を属性認証装置２０に送付する（ステップＳ４０５）。
【００６８】
すると、属性認証装置２０は、受け取った属性割り当て規則と利用者情報記憶部２４に記憶した利用者に関する情報を用いて利用者に属性を割り当て（ステップＳ４０６）、属性証明書を発行する（ステップＳ４０７）。
【００６９】
そして、コンテンツ配信装置２００１のトラストエンジン２５３が属性証明書、権限割り当て規則およびデジタル証明書を用いてプログラムローダ２５４を制御し、利用者が「対価支払い済み」属性を有していれば、プログラムローダ２５４がコンテンツ処理プログラム１３０をＰＳＰ１００からロードし（ステップＳ４０８）、暗号化コンテンツ１２０を再生する（ステップＳ４０９）。
【００７０】
このように、このコンテンツ配信装置２００１は、ＰＳＰ１００内の人間可読な契約文書を利用者に提示してユーザロールを選択させ、利用者が「正規ユーザ」を選択すると、「正規ユーザ」の合意と属性割り当て規則を属性認証装置２０に送付し、属性認証装置の発行した属性証明書に基づいて暗号化コンテンツ１２０を再生することによって、所定のアクセス制御の下に暗号化コンテンツ１２０を再生することができる。
【００７１】
次に、本実施の形態に係るコンテンツ作成処理の処理手順について説明する。図５は、本実施の形態に係るコンテンツ作成処理の処理手順を示すフローチャートである。
【００７２】
同図に示すように、このコンテンツ作成処理は、著作権者の指示のもとにコンテンツ提供装置１０の属性割り当て規則作成部１１が属性割り当て規則を作成し（ステップＳ５０１）、属性認証装置２０に送る。
【００７３】
すると、属性認証装置２０の属性割り当て規則審査部２１が送られた属性割り当て規則を審査し（ステップＳ５０２）、内容に問題がなければ電子署名部２３によって電子署名を付加し、コンテンツ提供装置１０に送り返す（ステップＳ５０３）。
【００７４】
すると、コンテンツ提供装置１０のＰＳＰ作成部１２は、人間可読な契約文書、権限割り当て規則および属性割り当て規則を用いてポリシ証明書１１０を作成し（ステップＳ５０４）、電子署名部１３によって電子署名を付加する（ステップＳ５０５）。
【００７５】
そして、ＰＳＰ作成部１２は、ポリシ証明書１１０、暗号化コンテンツ１２０およびコンテンツ処理プログラム１３０を用いてＰＳＰ１００を作成する（ステップＳ５０６）。
【００７６】
このように、このコンテンツ提供装置１０が暗号化コンテンツ１２０にポリシ証明書１１０を加えてＰＳＰ１００を作成し、このＰＳＰ１００がＰ２Ｐ通信によって配信されることによって、ＰＳＰ１００を取得した利用者は、暗号化コンテンツ１２０に対する自分の役割を選択し、役割に応じた操作権限を得ることができる。
【００７７】
次に、本実施の形態に係るコンテンツ複製許可処理の処理手順について説明する。図６は、本実施の形態に係るコンテンツ複製許可処理の処理手順を示すフローチャートである。
【００７８】
同図に示すように、このコンテンツ複製許可処理は、コンテンツ配信装置２００１のＰＳＰ取得部２１０がコンテンツ提供装置１０または他のコンテンツ配信装置からＰＳＰ１００を取得する（ステップＳ６０１）。
【００７９】
そして、ポリシ許諾部２３０がＰＳＰ１００内の人間可読な契約文書を利用者に提示し（ステップＳ６０２）、ユーザロールを選択させる（ステップＳ６０３）。ここで、利用者が「販売促進者」を選択すると、ポリシ許諾部２３０は、ポリシ許諾証明書をＰＳＰ１００の複製元に送付し（ステップＳ６０４）、「販売促進者」の合意と属性割り当て規則を属性認証装置２０に送付する（ステップＳ６０５）。
【００８０】
すると、属性認証装置２０は、受け取った属性割り当て規則と利用者情報記憶部２４に記憶した利用者に関する情報を用いて利用者に属性を割り当て（ステップＳ６０６）、属性証明書を発行する（ステップＳ６０７）。
【００８１】
そして、コンテンツ配信装置２００１のトラストエンジン２５３が属性証明書、権限割り当て規則およびデジタル証明書を用いて複製可能設定部２４０を制御し、ＰＳＰ記憶部２２０に記憶されているＰＳＰ１００の複製を可能とする（ステップＳ６０８）。
【００８２】
このように、このコンテンツ配信装置２００１は、ＰＳＰ１００内の人間可読な契約文書を利用者に提示してユーザロールを選択させ、利用者が「販売促進者」を選択すると、「販売促進者」の合意と属性割り当て規則を属性認証装置２０に送付し、属性認証装置の発行した属性証明書に基づいてＰＳＰ１００の複製を許可することによって、利用者がＰＳＰ１００を複製して配信することを可能としている。
【００８３】
上述したように、本実施の形態では、コンテンツ配信装置２００１が利用者にＰＳＰ１００内の契約文書を提示してユーザロールを選択させ、利用者がユーザロールを選択して契約に合意すると、合意事項と属性割り当て規則を属性認証装置２０に送付して属性証明書の発行を依頼し、属性認証装置２０が発行した属性証明書に基づいて利用者のＰＳＰ１００に対する操作を制御することとしたので、Ｐ２Ｐ通信によってＰＳＰ１００を取得した利用者は、様々な契約を結ぶことができ、結んだ契約に応じてコンテンツに対するアクセス権を得ることができる。
【００８４】
なお、本実施の形態では、コンテンツ提供装置１０とコンテンツ配信装置２００１〜２００ｎが別の装置である場合について説明したが、本発明はこれに限定されるものではなく、コンテンツ提供装置１０とコンテンツ配信装置２００１〜２００ｎの両方の機能を備え、あるコンテンツに対してはコンテンツ提供装置１０として機能し、別のコンテンツに対してコンテンツ配信装置２００１〜２００ｎとして機能する装置にも同様に適用することができる。
【００８５】
また、本実施の形態では、利用者が契約文書に記載されたいずれかのユーザロールを選択するとポリシ許諾証明書をＰＳＰ１００の複製元に送付する場合について説明したが、本発明はこれに限定されるものではなく、ポリシ許諾証明書を複製元以外に送付する場合にも同様に適用することができる。
【００８６】
すなわち、ポリシ許諾証明書は、Ｐ２Ｐ型のコンテンツ配信において、利用者が契約文書に合意したことを証明するためのものであり、他の第３者機関がポリシ許諾証明書を保管することもできる。
【００８７】
また、本実施の形態では、音楽を配信する場合について説明したが、本発明はこれに限定されるものではなく、たとえば、画像やプログラムなど他のデジタル著作物を配信する場合にも同様に適用することができる。
【００８８】
また、本実施の形態では、インターネット３０を用いてＰＳＰ１００を受け渡す場合について説明したが、本発明はこれに限定されるものではなく、たとえば、Ｂｌｕｅｔｏｏｔｈを用いてＰＳＰ１００を送受信する場合や、メモリカードを用いてＰＳＰ１００を受け渡す場合にも同様に適用することができる。
【００８９】
また、本実施の形態では、コンテンツ配信装置、コンテンツ提供装置および属性認証装置について説明したが、これらのコンテンツ配信装置、コンテンツ提供装置および属性認証装置が有する構成をソフトウェアによって実現することで、同様の機能を有するコンテンツ配信プログラム、コンテンツ提供プログラムおよび属性認証プログラムを得ることができる。そこで、コンテンツ配信プログラムおよびコンテンツ提供プログラムを実行する携帯情報端末について説明する。
【００９０】
図７は、本実施の形態に係るコンテンツ配信プログラムおよびコンテンツ提供プログラムを実行する携帯情報端末を示す図である。同図に示すように、この携帯情報端末７００は、本体部７１０と、本体部７１０からの指示によって表示画面を表示する表示部７２０と、携帯情報端末７００に種々の情報を入力するためのペン７３０と、音声の入出力をおこなうマイク／スピーカ７４０とを有する。また、本体部７１０は、ＣＰＵ７１１と、ＲＡＭ７１２と、ＲＯＭ７１３と、カードインタフェース７１４と、Ｉ／Ｏインタフェース７１５とを有する。
【００９１】
そして、この携帯情報端末７００は、カードインタフェース７１４に接続されたＳＤカード型またはＣＦカード型のＬＡＮカードを用いてインターネットに接続することができる。
【００９２】
また、この携帯情報端末７００において実行されるコンテンツ配信プログラムおよびコンテンツ提供プログラムは、ＳＤカードやＣＦカードなどの可搬型記憶媒体に記憶され、これらの可搬型記憶媒体から読み出されて携帯情報端末７００にインストールされる。
【００９３】
あるいは、これらのコンテンツ配信プログラムおよびコンテンツ提供プログラムは、ＬＡＮカードを介して接続されたコンピュータなどに記憶され、これらのコンピュータから読み出されて携帯情報端末７００にインストールされる。
【００９４】
そして、インストールされたコンテンツ配信プログラムおよびコンテンツ提供プログラムは、ＲＡＭ７１２、ＲＯＭ７１３などを利用してＣＰＵ７１１により実行される。
【００９５】
（付記１）デジタル著作物を利用者間のピアトゥピア通信を用いて配信するデジタル著作物配信システムで使用されるデジタル著作物配信装置であって、
前記デジタル著作物と該デジタル著作物の契約情報とを含むパッケージを提供するデジタル著作物提供装置または他のデジタル著作物配信装置からピアトゥピア通信を用いて該パッケージを取得するパッケージ取得手段と、
前記パッケージ取得手段により取得されたパッケージに含まれる契約情報に基づいてデジタル著作物配信における複数の役割についての契約内容を表示して利用者に役割を選択させる役割選択手段と、
前記役割選択手段により利用者に選択された役割に基づいて前記パッケージに対する利用者のアクセスを制御するパッケージアクセス制御手段と、
を備えたことを特徴とするデジタル著作物配信装置。
【００９６】
（付記２）前記役割選択手段は、利用者が選択した役割についての契約内容に合意したことを証明する契約証明書を発行することを特徴とする付記１に記載のデジタル著作物配信装置。
【００９７】
（付記３）前記役割選択手段は、利用者に関する情報を記憶した利用者属性認証装置に対して利用者が選択した役割を伝えるとともに利用者の属性の問い合せをおこない、前記パッケージアクセス制御手段は、前記問い合せに対して利用者属性認証装置が作成した利用者の属性に基づいて前記パッケージに対する利用者のアクセスを制御することを特徴とする付記１または２に記載のデジタル著作物配信装置。
【００９８】
（付記４）前記契約情報は、利用者に関する情報から利用者の属性を割り当てる属性割り当て規則を含み、前記役割選択手段は、利用者属性認証装置に対して属性割り当て規則を伝え、前記パッケージアクセス制御手段は、利用者属性認証装置が属性割り当て規則を用いて作成した利用者の属性に基づいて前記パッケージに対する利用者のアクセスを制御することを特徴とする付記３に記載のデジタル著作物配信装置。
【００９９】
（付記５）前記契約情報は、前記利用者の属性から利用者の役割を割り当てる権限割り当て規則を含み、前記パッケージアクセス制御手段は、前記利用者の属性および権限割り当て規則を用いて前記パッケージに対する利用者の役割を判定してアクセスを制御することを特徴とする付記４に記載のデジタル著作物配信装置。
【０１００】
（付記６）前記利用者の役割の一つとして販売促進があり、前記パッケージアクセス制御手段は、前記パッケージに対する利用者の役割が販売促進であると判定した場合に、該パッケージの複製を許可することを特徴とする付記５に記載のデジタル著作物配信装置。
【０１０１】
（付記７）デジタル著作物を利用者間のピアトゥピア通信を用いて配信するデジタル著作物配信システムで使用されるデジタル著作物配信プログラムであって、前記デジタル著作物と該デジタル著作物の契約情報とを含むパッケージを提供するデジタル著作物提供装置またはデジタル著作物配信装置からピアトゥピア通信を用いて該パッケージを取得するパッケージ取得手順と、
前記パッケージ取得手順により取得されたパッケージに含まれる契約情報に基づいてデジタル著作物配信における複数の役割についての契約内容を表示して利用者に役割を選択させる役割選択手順と、
前記役割選択手順により利用者に選択された役割に基づいて前記パッケージに対する利用者のアクセスを制御するパッケージアクセス制御手順と、
をコンピュータに実行させることを特徴とするデジタル著作物配信プログラム。
【０１０２】
（付記８）前記役割選択手順は、利用者が選択した役割についての契約内容に合意したことを証明する契約証明書を発行することを特徴とする付記７に記載のデジタル著作物配信プログラム。
【０１０３】
（付記９）前記役割選択手順は、利用者に関する情報を記憶した利用者属性認証装置に対して利用者が選択した役割を伝えるとともに利用者の属性の問い合せをおこない、前記パッケージアクセス制御手順は、前記問い合せに対して利用者属性認証装置が作成した利用者の属性に基づいて前記パッケージに対する利用者のアクセスを制御することを特徴とする付記７または８に記載のデジタル著作物配信プログラム。
【０１０４】
（付記１０）前記契約情報は、利用者に関する情報から利用者の属性を割り当てる属性割り当て規則を含み、前記役割選択手順は、利用者属性認証装置に対して属性割り当て規則を伝え、前記パッケージアクセス制御手順は、利用者属性認証装置が属性割り当て規則を用いて作成した利用者の属性に基づいて前記パッケージに対する利用者のアクセスを制御することを特徴とする付記９に記載のデジタル著作物配信プログラム。
【０１０５】
（付記１１）前記契約情報は、前記利用者の属性から利用者の役割を割り当てる権限割り当て規則を含み、前記パッケージアクセス制御手順は、前記利用者の属性および権限割り当て規則を用いて前記パッケージに対する利用者の役割を判定してアクセスを制御することを特徴とする付記１０に記載のデジタル著作物配信プログラム。
【０１０６】
（付記１２）前記利用者の役割の一つとして販売促進があり、前記パッケージアクセス制御手順は、前記パッケージに対する利用者の役割が販売促進であると判定した場合に、該パッケージの複製を許可することを特徴とする付記１１に記載のデジタル著作物配信プログラム。
【０１０７】
（付記１３）デジタル著作物を利用者間のピアトゥピア通信を用いて配信するデジタル著作物配信システムで使用されるデジタル著作物配信方法であって、
前記デジタル著作物と該デジタル著作物の契約情報とを含むパッケージを提供するデジタル著作物提供装置またはデジタル著作物配信装置からピアトゥピア通信を用いて該パッケージを取得するパッケージ取得工程と、
前記パッケージ取得工程により取得されたパッケージに含まれる契約情報に基づいてデジタル著作物配信における複数の役割についての契約内容を表示して利用者に役割を選択させる役割選択工程と、
前記役割選択工程により利用者に選択された役割に基づいて前記パッケージに対する利用者のアクセスを制御するパッケージアクセス制御工程と、
を含んだことを特徴とするデジタル著作物配信方法。
【０１０８】
（付記１４）前記役割選択工程は、利用者が選択した役割についての契約内容に合意したことを証明する契約証明書を発行することを特徴とする付記１３に記載のデジタル著作物配信方法。
【０１０９】
（付記１５）前記役割選択工程は、利用者に関する情報を記憶した利用者属性認証装置に対して利用者が選択した役割を伝えるとともに利用者の属性の問い合せをおこない、前記パッケージアクセス制御工程は、前記問い合せに対して利用者属性認証装置が作成した利用者の属性に基づいて前記パッケージに対する利用者のアクセスを制御することを特徴とする付記１３または１４に記載のデジタル著作物配信方法。
【０１１０】
（付記１６）前記契約情報は、利用者に関する情報から利用者の属性を割り当てる属性割り当て規則を含み、前記役割選択工程は、利用者属性認証装置に対して属性割り当て規則を伝え、前記パッケージアクセス制御工程は、利用者属性認証装置が属性割り当て規則を用いて作成した利用者の属性に基づいて前記パッケージに対する利用者のアクセスを制御することを特徴とする付記１５に記載のデジタル著作物配信方法。
【０１１１】
（付記１７）前記契約情報は、前記利用者の属性から利用者の役割を割り当てる権限割り当て規則を含み、前記パッケージアクセス制御工程は、前記利用者の属性および権限割り当て規則を用いて前記パッケージに対する利用者の役割を判定してアクセスを制御することを特徴とする付記１６に記載のデジタル著作物配信方法。
【０１１２】
（付記１８）前記利用者の役割の一つとして販売促進があり、前記パッケージアクセス制御工程は、前記パッケージに対する利用者の役割が販売促進であると判定した場合に、該パッケージの複製を許可することを特徴とする付記１７に記載のデジタル著作物配信方法。
【０１１３】
（付記１９）デジタル著作物を利用者間のピアトゥピア通信を用いて配信するデジタル著作物配信システムであって、
前記デジタル著作物と該デジタル著作物に対するアクセス制御に使用する利用者属性を利用者に割り当てる属性割り当て情報とを含むパッケージを提供するデジタル著作物提供装置と、
前記利用者に関する情報を記憶し、該記憶した利用者に関する情報および前記属性割り当て情報に基づいて利用者属性を作成する利用者属性作成装置と、
前記デジタル著作物提供装置により提供されたパッケージをピアトゥピア通信を用いて取得し、該取得したパッケージに含まれる属性割り当て情報を前記利用者属性作成装置に送信して利用者属性の作成を依頼し、該利用者属性作成装置が作成した利用者属性に基づいて前記デジタル著作物に対するアクセスを制御するデジタル著作物配信装置と、
を備えたことを特徴とするデジタル著作物配信システム。
【０１１４】
（付記２０）デジタル著作物を利用者間のピアトゥピア通信を用いて配信するデジタル著作物配信システムで用いられるデジタル著作物配信方法あって、
前記デジタル著作物と該デジタル著作物に対するアクセス制御に使用する利用者属性を利用者に割り当てる属性割り当て情報とを含むパッケージを作成するデジタル著作物作成工程と、
前記利用者に関する情報および前記パッケージから取り出された属性割り当て情報に基づいて利用者属性を作成する利用者属性作成工程と、
前記利用者属性作成工程により作成された利用者属性に基づいて前記パッケージに含まれるデジタル著作物に対するアクセスを制御するアクセス制御工程と、
を含んだことを特徴とするデジタル著作物配信方法。
【０１１５】
【発明の効果】
以上説明したように、本発明によれば、デジタル著作物とデジタル著作物の契約情報とを含むパッケージを提供するデジタル著作物提供装置またはデジタル著作物配信装置からピアトゥピア通信を用いてパッケージを取得し、取得したパッケージに含まれる契約情報に基づいてデジタル著作物配信における複数の役割についての契約内容を表示して利用者に役割を選択させ、選択された役割に基づいてパッケージに対する利用者のアクセスを制御するよう構成したので、デジタル著作物の取得者が、取得したデジタル著作物に対して、利用契約だけでなく他の契約も結ぶことができるという効果を奏する。
【０１１６】
また、本発明によれば、デジタル著作物とデジタル著作物に対するアクセス制御に使用する利用者属性を利用者に割り当てる属性割り当て情報とを含むパッケージを作成し、利用者に関する情報およびパッケージから取り出された属性割り当て情報に基づいて利用者属性を作成し、作成した利用者属性に基づいてパッケージに含まれるデジタル著作物に対するアクセスを制御することとしたので、デジタル著作物の取得者が、取得したデジタル著作物に対して、利用契約だけでなく他の契約も結ぶことができるという効果を奏する。
【図面の簡単な説明】
【図１】本実施の形態に係るコンテンツ配信の概念を説明するための説明図である。
【図２】本実施の形態に係るコンテンツ配信システムのシステム構成を示す機能ブロック図である。
【図３】ポリシ証明書の一例を示す図である。
【図４】本実施の形態に係るコンテンツ再生処理の処理手順を示すフローチャートである。
【図５】本実施の形態に係るコンテンツ作成処理の処理手順を示すフローチャートである。
【図６】本実施の形態に係るコンテンツ複製許可処理の処理手順を示すフローチャートである。
【図７】本実施の形態に係るコンテンツ配信プログラムおよびコンテンツ提供プログラムを実行する携帯情報端末の構成を示す機能ブロック図である。
【符号の説明】
１０  コンテンツ提供装置
１１  属性割り当て規則作成部
１２  ＰＳＰ作成部
１３  電子署名部
１４  通信部
２０  属性認証装置
２１  属性割り当て規則審査部
２２  属性割り当て規則解釈部
２３  電子署名部
２４  利用者情報記憶部
２５  通信部
３０  インターネット
１００  ＰＳＰ（Ｐｏｌｉｃｙ  Ｓｅｒｖｉｃｅ  Ｐａｃｋａｇｅ）
１１０  ポリシ証明書
１２０  暗号化コンテンツ
１３０  コンテンツ処理プログラム
２００１，２００２，２００ｎ  コンテンツ配信装置
２１０  ＰＳＰ取得部
２２０  ＰＳＰ記憶部
２３０  ポリシ許諾部
２４０  複製可能設定部
２５０  耐タンパ装置
２５１  属性取得部
２５２  属性証明書記憶部
２５３  トラストエンジン
２５４  プログラムローダ
２５５  プログラム処理部
２６０  デジタル証明書記憶部
２７０  通信部
７００  携帯情報端末
７１０  本体部
７１１  ＣＰＵ
７１２  ＲＡＭ
７１３  ＲＯＭ
７１４  カードインタフェース
７１５  Ｉ／Ｏインタフェース
７２０  表示部
７３０  ペン
７４０  マイク／スピーカ
【図１】
2004341873.tif 000003
【図２】
2004341873.tif 000004
【図３】
2004341873.tif 000005
【図４】
2004341873.tif 000006
【図５】
2004341873.tif 000007
【図６】
2004341873.tif 000008
【図７】
2004341873.tif 000009